(57)【要約】【課題】改善された、電子機器及びその制御方法を提供する。【解決手段】電子機器は、センサ部と、制御部とを備える。センサ部は、ユーザによって所持される電子機器の状態を検出する。制御部は、所定期間内のセンサ部の検出結果に基づいて、所定条件が満たされると判定すると、ユーザが帰宅中であると特定する。【選択図】図２
2018201172.tif 000002
【特許請求の範囲】
【請求項１】
センサ部と、制御部とを備える電子機器であって、
前記センサ部は、ユーザによって所持される前記電子機器の状態を検出し、
前記制御部は、所定期間内の前記センサ部の検出結果に基づいて、所定条件が満たされると判定すると、前記ユーザが帰宅中であると特定する、電子機器。
【請求項２】
請求項１に記載の電子機器であって、
前記制御部は、
前記ユーザが過去に所定の帰宅経路を利用して帰宅した際の前記センサ部の検出結果に基づいて、前記帰宅経路に関する情報を決定し、
前記所定期間内の前記センサ部の検出結果に基づいて、前記ユーザの移動経路に関する情報を決定し、
前記所定条件は、前記帰宅経路に関する情報の少なくとも一部と前記移動経路に関する情報とが略一致するとの条件である、電子機器。
【請求項３】
請求項１又は２に記載の電子機器であって、
無線通信する通信部をさらに備え、
前記制御部は、
前記センサ部の検出結果に基づいて、前記ユーザの移動手段を特定し、
前記通信部によって所定の電子機器に、前記移動手段を通知する、電子機器。
【請求項４】
請求項１から３の何れか一項に記載の電子機器であって、
無線通信する通信部をさらに備え、
前記制御部は、
前記所定期間内の前記センサ部の検出結果に基づいて、前記ユーザの位置に関する情報を決定し、
前記通信部によって所定の電子機器に、前記位置に関する情報を通知する、電子機器。
【請求項５】
無線通信する通信部と、制御部とを備える電子機器であって、
前記制御部は、ユーザの帰宅経路を含む所定範囲内に設置された所定の通信装置の識別子を、前記通信部によって取得すると、前記ユーザが帰宅中であると特定する、電子機器。
【請求項６】
請求項５に記載の電子機器であって、
前記制御部は、取得した前記識別子に基づいて、前記ユーザの位置に関する情報を決定し、
前記通信部によって所定の電子機器に、前記位置に関する情報を通知する、電子機器。
【請求項７】
請求項１から６の何れか一項に記載の電子機器であって、
無線通信する通信部をさらに備え、
前記制御部は、前記ユーザが帰宅中であると特定すると、前記通信部によって所定の電子機器に、前記ユーザが帰宅中である旨を通知する、電子機器。
【請求項８】
センサ部と、制御部とを備える電子機器の制御方法であって、
前記センサ部が、ユーザによって所持される前記電子機器の状態を検出するステップと、
前記制御部が、所定期間内の前記センサ部の検出結果に基づいて、所定条件が満たされると判定すると、前記ユーザが特定中であると特定するステップと、を含む、電子機器の制御方法。
【請求項９】
無線通信する通信部と、制御部とを備える電子機器の制御方法であって、
前記制御部が、ユーザの帰宅経路を含む所定範囲内に設置された所定の通信装置の識別子を、前記通信部によって取得すると、前記ユーザが帰宅中であると特定するステップを含む、電子機器の制御方法。
【発明の詳細な説明】
【技術分野】
【０００１】
本開示は、電子機器及びその制御方法に関する。
【背景技術】
【０００２】
従来、基地局から自機の現在地を示す位置情報を取得する電子機器が知られている。例えば、特許文献１には、電子機器が、基地局から取得した、基地局の経度緯度情報を、自機の位置情報として用いる構成が開示されている。
【先行技術文献】
【特許文献】
【０００３】
【特許文献１】特開２０１０−２５９０７６号公報
【発明の概要】
【発明が解決しようとする課題】
【０００４】
従来の電子機器には、改善の余地がある。
【０００５】
本開示の目的は、改善された、電子機器及びその制御方法を提供することにある。
【課題を解決するための手段】
【０００６】
本開示の一実施形態に係る電子機器は、センサ部と、制御部とを備える。前記センサ部は、ユーザによって所持される前記電子機器の状態を検出する。前記制御部は、所定期間内の前記センサ部の検出結果に基づいて、所定条件が満たされると判定すると、前記ユーザが帰宅中であると特定する。
【０００７】
本開示の一実施形態に係る電子機器は、無線通信する通信部と、制御部とを備える。前記制御部は、ユーザの帰宅経路を含む所定範囲内に設置された所定の通信装置の識別子を、前記通信部によって取得すると、前記ユーザが帰宅中であると特定する。
【０００８】
本開示の一実施形態に係る電子機器の制御方法は、センサ部と、制御部とを備える電子機器の制御方法である。前記電子機器の制御方法は、前記センサ部が、ユーザによって所持される前記電子機器の状態を検出するステップを含む。さらに、前記電子機器の制御方法は、前記制御部が、所定期間内の前記センサ部の検出結果に基づいて、所定条件が満たされると判定すると、前記ユーザが特定中であると特定するステップを含む。
【０００９】
本開示の一実施形態に係る電子機器の制御方法は、無線通信する通信部と、制御部とを備える電子機器の制御方法である。前記電子機器の制御方法は、前記制御部が、ユーザの帰宅経路を含む所定範囲内に設置された所定の通信装置の識別子を、前記通信部によって取得すると、前記ユーザが帰宅中であると特定するステップを含む。
【発明の効果】
【００１０】
本開示によれば、改善された、電子機器及びその制御方法が提供され得る。
【図面の簡単な説明】
【００１１】
【図１】本開示の第１実施形態に係る電子機器の正面図である。
【図２】本開示の第１実施形態に係る電子機器の機能ブロック図である。
【図３】本開示の第１実施形態に係るユーザの帰宅経路の一例を示す図である。
【図４】本開示の第１実施形態に係る帰宅経路に関する情報の一例を示す図である。
【図５】本開示の第１実施形態に係る電子機器の動作の一例を示すフローチャートである。
【図６】本開示の第２実施形態に係るユーザの帰宅経路の一例を示す図である。
【図７】本開示の第２実施形態に係る帰宅経路に関する情報の一例を示す図である。
【図８】本開示の第２実施形態に係る電子機器の動作の一例を示すフローチャートである。
【図９】変形例に係る電子機器の正面図である。
【図１０】変形例に係る帰宅経路に関する情報の一例を示す図である。
【発明を実施するための形態】
【００１２】
以下、本開示の一実施形態に係る電子機器について、図面を参照して説明する。以下では、本開示の一実施形態に係る電子機器のユーザは、子供であるものとして説明する。しかしながら、ユーザは、子供に限定されない。ユーザは、あらゆる年齢層の人間であってよい。
【００１３】
（第１実施形態）
図１を参照して、本実施形態に係る電子機器１の外観について説明する。電子機器１は、例えば、携帯電話機である。電子機器１は、携帯電話機に限定されず、例えば、ファブレット、タブレットＰＣ、フィーチャーフォン又はスマートフォン等であってもよい。
【００１４】
電子機器１は、正面に、ディスプレイ２と、操作キー３Ａ，３Ｂ，３Ｃとを備える。
【００１５】
ディスプレイ２は、表示パネル２Ａを含む。ディスプレイ２は、文字、画像、記号又は図形等を表示する。表示パネル２Ａは、例えば、ＬＣＤ（Liquid Crystal Display）、有機ＥＬ（Electro Luminescence）又は無機ＥＬ等で構成される。
【００１６】
ディスプレイ２は、タッチセンサ２Ｂをさらに含んでもよい。タッチセンサ２Ｂは、例えば、透明なシート状に形成される。タッチセンサ２Ｂは、例えば、表示パネル２Ａ上に配置される。ユーザは、タッチセンサ２Ｂを透かして表示パネル２Ａを視認する。タッチセンサ２Ｂは、例えば、ユーザの指及びスタライスペン等がディスプレイ２に接触した位置を、ユーザのディスプレイ２に対する入力として検出する。
【００１７】
操作キー３Ａは、例えば、バックキーである。ユーザは、ディスプレイ２に表示されている現在の画面を１つ前の画面に戻したいとき、操作キー３Ａを押す。操作キー３Ｂは、例えば、ホームキーである。ユーザは、ディスプレイ２にホーム画面を表示させたいとき、操作キー３Ｂを押す。操作キー３Ｃは、例えば、リーセントキーである。ユーザは、ディスプレイ２にリーセント画面を表示させたいとき、操作キー３Ｃを押す。
【００１８】
本実施形態に係る電子機器１の機能について説明する。図２は、本開示の第１実施形態に係る電子機器１の機能ブロック図である。
【００１９】
電子機器１は、入力部１０と、センサ部１１と、通信部１２と、記憶部１３と、制御部１４とを備える。
【００２０】
入力部１０は、ユーザの操作入力を受け付ける。入力部１０は、受け付けた操作入力を、制御部１４に出力する。入力部１０は、例えば、図１に示すタッチセンサ２Ｂ及び操作キー３Ａ〜３Ｃを含む。
【００２１】
センサ部１１は、ユーザによって所持された電子機器１の状態を検出する。センサ部１１は、検出した電子機器１の状態を、制御部１４に出力する。センサ部１１は、例えば、加速度センサ、磁気センサ、ジャイロセンサ及び気圧センサを含む。
【００２２】
加速度センサは、電子機器１に働く加速度を検出する。加速度センサは、検出した加速度を、制御部１４に出力する。
【００２３】
磁気センサは、電子機器１の周囲の磁気の大きさ及び方向を検出する。磁気センサは、検出した磁気の大きさ及び方向を、制御部１４に出力する。
【００２４】
ジャイロセンサは、電子機器１の角速度を検出する。ジャイロセンサは、検出した角速度を、制御部１４に出力する。
【００２５】
気圧センサは、電子機器１の外側の気圧すなわち大気圧を検出する。気圧センサは、検出した気圧を、制御部１４に出力する。
【００２６】
通信部１２は、例えば基地局及び他の電子機器等と、無線通信する。通信部１２は、任意の無線通信規格に対応する無線通信モジュールを含んでもよい。無線通信規格として、例えば、無線ＬＡＮ、Ｂｌｕｅｔｏｏｔｈ（登録商標）、ＩｒＤＡ（Infrared Data Association）、ＮＦＣ（Near Field radio Communication）、２Ｇ（2nd Generation）、３Ｇ（3rd Generation）、４Ｇ（4th Generation）、ＬＴＥ（Long Term Evolution）、ＷｉＭＡＸ（Worldwide Interoperability for Microwave Access）及びＰＨＳ（Personal Handy-phone System）等がある。通信部１２は、上述した通信規格の１つ又は複数に対応していてもよい。
【００２７】
通信部１２は、アクセスポイントと無線通信する。当該アクセスポイントは、例えば、ＷｉＦｉ（登録商標）（The Standard for Wireless Fidelity）の通信規格に対応していてもよい。当該アクセスポイントには、識別子としてＳＳＩＤ（Service Set Identifier）が付与されてもよい。
【００２８】
記憶部１３は、プログラム及びデータを記憶する。記憶部１３は、制御部１４の処理結果を一時的に記憶する。記憶部１３は、半導体記憶デバイス及び磁気記憶デバイス等の任意の記憶デバイスで構成されてもよい。記憶部１３は、複数の種類の記憶デバイスで構成されてもよい。記憶部１３は、メモリカード等の可搬の記憶媒体と、記憶媒体の読み取り装置との組み合わせで構成されてもよい。
【００２９】
記憶部１３に記憶されるプログラムは、フォアグランド又はバックグランドで実行されるアプリケーションと、アプリケーションの動作を支援する制御プログラムとを含む。アプリケーションは、例えば、ディスプレイ２に所定画像を表示させ、タッチセンサ２Ｂを介して検出されるユーザ操作に対応する処理を、制御部１４に実行させる。制御プログラムは、ＯＳ（Operating System）である。アプリケーション及び制御プログラムは、通信部１２等による無線通信又は記憶媒体を介して、記憶部１３にインストールされてもよい。
【００３０】
本実施形態に係る記憶部１３に記憶されるデータは、例えば、所定のアクセスポイントの識別子を含む。所定のアクセスポイントは、任意の場所に設置されてもよい。所定のアクセスポイントは、例えば、ユーザが行き来する２つの場所それぞれに設置されたアクセスポイントを含んでもよい。所定のアクセスポイントは、例えば、ユーザが通う学校又はその近辺に設置されたアクセスポイント、及び、ユーザの自宅に設置されたアクセスポイントを含む。本実施形態に係る記憶部１３に記憶されるデータは、例えば、後述の帰宅経路に関する情報、及び、後述の所定の電子機器に関する情報を含む。
【００３１】
制御部１４は、電子機器１全体を制御する。制御部１４は、１つ以上のプロセッサを含んでもよい。例えば、制御部１４は、汎用のＣＰＵ（Central Processing Unit）を含んでもよい。制御部１４は、例えば、各機能の処理に特化した専用のプロセッサを含んでもよい。制御部１４が実行するプログラムは、記憶部１３に格納される。
【００３２】
制御部１４は、例えば、アクセスポイントの識別子を取得する。このとき、制御部１４は、当該アクセスポイントに電子機器１を、通信部１２によって自動接続させてもよいし、させなくてもよい。制御部１４は、当該アクセスポイントに電子機器１を接続させるか否かをユーザに選択させるための画像を、図１に示すディスプレイ２に表示させてもよいし、表示させなくてもよい。
【００３３】
制御部１４は、センサ部１１が検出した電子機器１の状態に基づいて、ユーザの行動特徴を特定する。ユーザの行動特徴は、例えば、ユーザの移動方向、ユーザの移動手段、ユーザの移動距離及びユーザの昇降移動を含んでもよい。
【００３４】
例えば、制御部１４は、磁気センサ及びジャイロセンサの検出結果に基づいて、ユーザの移動方向を特定する。制御部１４によって特定可能な移動方向は、例えば、東西南北に基づく方向であるが、これに限定されない。
【００３５】
例えば、制御部１４は、加速度センサ及び磁気センサの少なくとも一方の検出結果に基づいて、ユーザの移動手段を特定する。制御部１４によって特定可能な移動手段は、例えば、徒歩、自転車、自動車及び電車等を含むが、これらに限られない。
【００３６】
例えば、制御部１４は、加速度センサの検出結果に基づいて、ユーザの移動距離を特定する。制御部１４によって特定可能な移動距離の単位は、任意に定められてもよい。移動距離の単位は、例えば、ユーザの歩数又はメートルを含むが、これに限定されない。
【００３７】
例えば、制御部１４は、気圧センサの検出結果に基づいて、ユーザの昇降移動を特定する。制御部１４によって特定可能な昇降移動は、例えば、上昇及び降下を含むが、これらに限定されない。例えば、ユーザが階段又は坂を上ると、制御部１４は、ユーザの移動手段を徒歩と特定し、かつユーザの昇降移動を昇降と特定可能である。例えば、ユーザが階段又は坂を下ると、制御部１４は、ユーザの移動手段を徒歩と特定し、かつユーザの昇降移動を降下と特定可能である。
【００３８】
制御部１４は、帰宅経路に関する情報を決定する処理、帰宅中であると特定する処理及び通知処理を実行する。以下、これらの処理について詳細に説明する。
【００３９】
＜帰宅経路に関する情報を決定する処理＞
制御部１４は、ユーザが過去に所定の帰宅経路を利用して、１回又は複数回帰宅した際のセンサ部１１の検出結果に基づいて、帰宅経路に関する情報を決定する。例えば、制御部１４は、１週間から１０日程度の間に、ユーザが帰宅経路２０を利用して複数回帰宅した際のセンサ部１１の検出結果に基づいて、帰宅経路に関する情報を決定してもよい。
制御部１４は、決定した帰宅経路に関する情報を、記憶部１３に記憶させておく。ユーザの帰宅経路の一例を、図３を参照して説明する。
【００４０】
図３は、本開示の第１実施形態に係るユーザの帰宅経路２０の一例を示す図である。帰宅経路２０の始点は、ユーザが通学している学校３０である。帰宅経路２０の終点は、ユーザの自宅４０である。学校３０には、アクセスポイントとして機能する通信装置３１が設置される。自宅４０には、アクセスポイントとして機能する通信装置４１が設置される。帰宅経路２０は、道路２１と、角２２と、道路２３と、角２４と、階段２５と、道路２６とを含む。
【００４１】
道路２１は、学校３０と、学校３０の南側に位置する角２２との間に位置する。ユーザは、例えば、南方向に、徒歩で１００歩移動すると、道路２１を通過し得る。
【００４２】
角２２は、道路２１と道路２３との間に位置する。角２２は、交差点Ａに対応する。ユーザは、例えば、徒歩で、移動方向を南方向から東方向に転換すると、角２２を通過し得る。
【００４３】
道路２３は、角２２と、角２２の東側に位置する角２４との間に位置する。ユーザは、例えば、東方向に、徒歩で２００歩移動すると、道路２３を通過し得る。
【００４４】
角２４は、道路２３と階段２５との間に位置する。ユーザは、例えば、徒歩で、移動方向を東方向から南東方向に転換すると、角２４を通過し得る。
【００４５】
階段２５は、角２４と、角２４の南東側に位置する道路２６との間に位置する。階段２５は、坂Ｂに設けられる。ユーザは、例えば、南東方向に、徒歩で階段２５を５０段下ると、階段２５を通過し得る。
【００４６】
道路２６は、階段２５と自宅４０との間に位置する。ユーザは、例えば、南東方向に、徒歩で３００歩移動すると、道路２６を通過し得る。
【００４７】
図２に示す制御部１４は、ユーザが図３に示す帰宅経路２０を移動している間のセンサ部１１の検出結果に基づき、ユーザの行動特徴を特定することによって、帰宅経路に関する情報を決定する。以下、帰宅経路に関する情報の一例を、図４を参照して説明する。
【００４８】
図４は、本開示の第１実施形態に係る帰宅経路に関する情報の一例を示す図である。第１実施形態に係る帰宅経路に関する情報は、特徴Ａ１と、特徴Ａ２と、特徴Ａ３と、特徴Ａ４と、特徴Ａ５とを含む。
【００４９】
特徴Ａ１は、ユーザが図３に示す道路２１を進んでいる間のセンサ部１１の検出結果に基づいて、制御部１４が特定したユーザの行動特徴である。特徴Ａ１は、南方向との移動方向、徒歩との移動手段、及び、１００歩との移動距離を含む。
【００５０】
特徴Ａ２は、ユーザが図３に示す角２２を進んでいる間のセンサ部１１の検出結果に基づいて、制御部１４が特定したユーザの行動特徴である。特徴Ａ２は、南方向から東方向への移動方向の転換、及び、徒歩との移動手段を含む。
【００５１】
特徴Ａ３は、ユーザが図３に示す道路２３を進んでいる間のセンサ部１１の検出結果に基づいて、制御部１４が特定したユーザの行動特徴である。特徴Ａ３は、東方向との移動方向、徒歩との移動手段及び２００歩との移動距離を含む。
【００５２】
特徴Ａ４は、ユーザが図３に示す角２４を進んでいる間のセンサ部１１の検出結果に基づいて、制御部１４が特定したユーザの行動特徴である。特徴Ａ４は、東方向から南東方向への移動方向の転換、及び、徒歩との移動手段を含む。
【００５３】
特徴Ａ５は、ユーザが図３に示す階段２５を進んでいる間のセンサ部１１の検出結果に基づいて、制御部１４が特定したユーザの行動情報である。特徴Ａ５は、南東方向との移動方向、徒歩との移動手段、５０歩との移動距離及び降下との昇降移動を含む。
【００５４】
特徴Ａ６は、ユーザが図３に示す道路２６を進んでいる間のセンサ部１１の検出結果に基づいて、制御部１４が特定したユーザの行動情報である。特徴Ａ６は、南東方向との移動方向、徒歩との移動手段及び３００歩との移動距離を含む。
【００５５】
図２に示す制御部１４は、入力部１０からの入力に基づいて又は他の電子機器から受信する情報に基づいて、図４に示すように、位置に関する情報を、帰宅経路に関する情報に追加してもよい。図４の例では、図３に示す交差点Ａ２が、位置に関する情報として、特徴Ａ２に対応付けて追加されている。図３に示す坂Ｂが、位置に関する情報として、特徴Ａ５に対応付けられて追加されている。例えば、ユーザは、電子機器１又は他の電子機器に、地図を表示するアプリケーションを利用して、角２２のような特徴がある場所を選択してもよい。さらに、ユーザは、交差点Ａのような、選択した場所の名称を、位置に関する情報として入力部１０から入力してもよい。電子機器１のユーザが子供である場合、上述のように場所の選択及び場所の名称の入力を行うユーザは、例えば当該子供の保護者であってもよい。
【００５６】
図４に示す帰宅経路に関する情報は、特徴Ａ１〜Ａ６の少なくとも１つを含むものであってもよい。かかる場合、帰宅経路に関する情報は、位置に関する情報が対応付けられている、特徴Ａ２及び特徴Ａ５の少なくとも１つを含むものであってもよい。
【００５７】
図２に示す制御部１４は、センサ部１１の検出結果から、異常があるデータを除去してもよい。異常があるデータは、例えば、ユーザが移動していない状態で電子機器１を手に持って動かしているとき等に、センサ部１１によって検出され得るデータである。このような制御によって、制御部１４は、より精度よく、帰宅経路に関する情報を決定することができる。
【００５８】
＜帰宅中であると特定する処理＞
図２に示す制御部１４は、ユーザが図３に示す学校３０から自宅４０へ帰宅するために、帰宅経路２０を利用して移動している間、ユーザが帰宅中であると特定する。具体的には、制御部１４は、所定期間内のセンサ部１１の検出結果に基づいて、所定条件が満たされたと判定すると、ユーザが帰宅中であると特定する。以下、この処理の一例を、詳細に説明する。
【００５９】
制御部１４は、例えば、所定期間内のセンサ部１１の検出結果に基づいて、ユーザの移動経路に関する情報を決定する。所定期間は、任意に定められてもよい。移動経路に関する情報は、ユーザの行動特徴を含んでもよい。具体的には、移動経路に関する情報は、ユーザの移動方向、移動手段、移動距離及び昇降移動を含んでもよい。さらに、制御部１４は、帰宅経路に関する情報の少なくとも一部と、決定した移動経路に関する情報とが略一致するとの所定条件が満たされたと判定すると、ユーザが帰宅中であると特定する。制御部１４は、ユーザが帰宅中であると特定するとともに、ユーザの位置に関する情報を決定してもよい。
【００６０】
具体的には、制御部１４は、帰宅経路に関する情報に含まれる複数の特徴のうち２つ以上の特徴と、移動経路に関する情報に含まれる２つ以上の行動特徴とが略一致するとの所定条件が満たされたと判定すると、ユーザが帰宅中であると特定してもよい。例えば、移動経路に関する情報が、行動特徴Ｂ１と、行動特徴Ｂ２と、行動特徴Ｂ３と、行動特徴Ｂ４と、行動特徴Ｂ５とを含むものとする。行動特徴Ｂ１から行動特徴Ｂ５は、それぞれ、図３に示す道路２１、角２２、道路２３、角２４及び階段２５を、ユーザが通過したことに起因して、制御部１４により特定された特徴である。かかる場合、制御部１４は、行動特徴Ｂ１から行動特徴Ｂ５と、図４に示す特徴Ａ１から特徴Ａ５とがそれぞれ略一致すると判定したとき、ユーザが帰宅中であると特定してもよい。制御部１４は、特徴Ａ５に対応する位置に関する情報「坂Ｂ」を、ユーザの位置に関する情報として決定してもよい。
【００６１】
或いは、制御部１４は、帰宅経路に関する情報に含まれる複数の行動特徴のうち１つの行動特徴と、移動経路に関する情報に含まれる１つの行動特徴とが略一致するとの所定条件が満たされたと判定すると、ユーザが帰宅中であると特定してもよい。例えば、移動経路に関する情報が、上述の行動特徴Ｂ５を含むものとする。かかる場合、制御部１４は、行動特徴Ｂ５と、図４に示す特徴Ａ５とが略一致すると判定したとき、ユーザが帰宅中であると特定してもよい。制御部１４は、特徴Ａ５に対応する位置に関する情報「坂Ｂ」を、ユーザの位置に関する情報として決定してもよい。
【００６２】
＜通知処理＞
制御部１４は、ユーザが帰宅中であると特定すると、通信部１２によって所定の電子機器に、帰宅中である旨を通知する。所定の電子機器は、例えば、ユーザが子供である場合、ユーザの保護者が所有する電子機器である。
【００６３】
制御部１４は、ユーザが帰宅中であると特定すると、位置に関する情報を、通信部１２によって所定の電子機器に通知してもよい。制御部１４は、所定期間のセンサ部１１の検出結果に基づいて、ユーザの位置に関する情報を決定してもよい。制御部１４は、上述の帰宅中である旨とともに、位置に関する情報を、通信部１２によって所定の電子機器に通知してもよい。例えば、制御部１４は、位置に関する情報を「坂Ｂ」と特定した場合、「帰宅中です。現在、坂Ｂです。」との旨を、通知してもよい。
【００６４】
制御部１４は、ユーザの移動手段を、通信部１２によって所定の電子機器に通知してもよい。制御部１４は、この処理を、ユーザが帰宅中であると特定できるか否かに関わらず、行ってもよい。制御部１４は、ユーザが帰宅中であると特定できないときは、帰宅経路を外れた旨とともに移動手段を、通信部１２によって所定の電子機器に通知してもよい。かかる場合、例えば、子供であるユーザが、第三者によって車に乗せられて帰宅経路２０を外れてしまっても、「帰路を外れました。車で移動中。」との旨が、所定の電子機器に通知され得る。制御部１４は、ユーザが帰宅中であると特定できるとき、上述の帰宅中である旨とともに移動手段を、通信部１２によって所定の電子機器に通知してもよい。
【００６５】
図５は、本開示の第１実施形態に係る電子機器１の動作の一例を示すフローチャートである。制御部１４は、電子機器１が図３に示す学校３０に存在するとき、学校３０に設置された通信装置３１の識別子を取得し得る。この後、制御部１４は、通信装置３１の識別子を取得しなくなると、処理を開始する。制御部１４は、自宅４０に設置された通信装置４１の識別子を取得すると、処理を終了する。
【００６６】
センサ部１１は、制御部１４の制御に基づいて、ユーザによって所持される電子機器１の状態の検出を開始する（ステップＳ１０）。制御部１４は、所定期間内のセンサ部１１の検出結果に基づいて、ユーザの行動特徴を特定する。例えば、制御部１４は、所定期間内のセンサ部１１の検出結果に基づいて、ユーザの移動方向、移動手段、移動距離及び昇降移動を特定する（ステップＳ１１）。制御部１４は、ステップＳ１１の処理で特定したユーザの行動特徴を用いて、ユーザの移動経路に関する情報を決定する（ステップＳ１２）。
【００６７】
制御部１４は、記憶部１３に記憶されている帰宅経路に関する情報を読み出す。制御部１４は、帰宅経路に関する情報の少なくとも一部と、ステップＳ１１の処理で決定した移動経路に関する情報とが略一致するか否か判定する（ステップＳ１３）。制御部１４は、帰宅経路に関する情報の少なくとも一部と、移動経路に関する情報とが略一致すると判定したとき（ステップＳ１３：Ｙｅｓ）、ステップＳ１５の処理に進む。一方、制御部１４は、帰宅経路に関する情報の少なくとも一部と、移動経路に関する情報とが略一致すると判定しないとき（ステップＳ１３：Ｎｏ）、ステップＳ１４の処理に進む。
【００６８】
ステップＳ１４の処理では、制御部１４は、帰宅経路を外れた旨とともにユーザの移動手段を、通信部１２によって所定の電子機器に通知する。
【００６９】
ステップＳ１５の処理では、制御部１４は、ユーザが帰宅中であると特定する。ステップＳ１６の処理では、制御部１４は、センサ部１１の検出結果に基づいて、ユーザの位置に関する情報を決定する。ステップＳ１７の処理では、制御部１４は、帰宅中である旨とともにユーザの移動手段及び位置に関する情報を、通信部１２によって所定の電子機器に通知する。
【００７０】
制御部１４は、図５に示す処理を開始するためのユーザ操作入力を、入力部１０から取得したときに、図５に示す処理を開始してもよい。制御部１４は、図５に示す処理を終了するためのユーザ操作入力を入力部１０から取得したときに、図５に示す処理を終了してもよい。
【００７１】
以上のように、第１実施形態に係る電子機器１では、制御部１４は、センサ部１１の検出結果に基づいて、所定条件が満たされたと判定すると、ユーザが帰宅中であると特定する。つまり、第１実施形態に係る電子機器１は、消費電力が比較的大きいＧＰＳ（Global Positioning System）のような技術を使用するのではなく、消費電力が比較的小さいセンサ部１１を使用して、ユーザが帰宅中であると特定する。このような制御によって、本実施形態に係る電子機器１は、ＧＰＳのような技術を使用する場合よりも、小さい消費電力で、ユーザが帰宅中であると特定することができる。さらに、例えば電子機器１が子供向けの携帯電話機であり、電子機器１に搭載されるバッテリの容量が小さい場合であっても、ユーザが帰宅中であると特定することができる。従って、本実施形態は、改善された、電子機器１を提供することができる。
【００７２】
さらに、第１実施形態に係る電子機器１では、制御部１４は、ユーザが帰宅中であると特定すると、通信部１２によって所定の電子機器に、帰宅中である旨を通知することができる。このような制御によって、ユーザが子供である場合、保護者は、ユーザが帰宅中であることを知り得る。さらに、保護者は、ユーザの帰宅予定時刻を過ぎても、帰宅中である旨が所定の電子機器に通知されない場合、ユーザに何らかの異常が発生したことを知り得る。従って、本実施形態に係る電子機器１は、ユーザの利便性に優れたものとなり得る。
【００７３】
加えて、第１実施形態に係る電子機器１では、制御部１４は、ユーザが帰宅中であると特定すると、通信部１２によって所定の電子機器に、位置に関する情報を通知することができる。このような制御によって、ユーザが子供である場合、保護者は、より詳細に子供の行動を知り得る。従って、本実施形態に係る電子機器１は、ユーザの利便性により優れたものとなり得る。
【００７４】
第１実施形態に係る電子機器１では、制御部１４は、センサ部１１の検出結果に基づいてユーザの移動手段を検出し、検出した移動手段を、通信部１２によって所定の電子機器に通知することができる。さらに、制御部１４は、この処理を、ユーザが帰宅中であると特定できるか否かに関わらず、行うことができる。このような制御によって、例えば、子供であるユーザが、第三者によって車に乗せられて帰宅経路３００を外れてしまっても、「帰宅経路を外れました。車で移動中。」との旨が、所定の電子機器に通知され得る。さらに、この通知によって、保護者は、子供に非常事態が起こったことを知り得る。従って、本実施形態に係る電子機器１は、ユーザの身の安全を確保することができる。
【００７５】
（第２実施形態）
本開示の第２実施形態に係る電子機器について説明する。第２実施形態に係る電子機器は、第１実施形態に係る電子機器１と同様の構成を採用することができる。従って、以下では、図２を参照しつつ、第１実施形態との相違点を中心に説明する。
【００７６】
第１実施形態では、帰宅経路に関する情報は、ユーザが過去に帰宅経路を利用して帰宅した際のセンサ部１１の検出結果に基づいて、決定されるものであった。これに対し、第２実施形態では、帰宅経路に関する情報は、帰宅経路を含む所定範囲内に設置された所定の通信装置の識別子である。当該所定の通信装置の一例について、図７を参照して説明する。
【００７７】
図６は、本開示の第２実施形態に係るユーザの帰宅経路の一例を示す図である。図６に示す構成要素において、図３に示す構成要素と同一のものは、同一符号を付してその説明を省略する。
【００７８】
通信装置５０，５１は、アクセスポイントである。通信装置５０，５１には、アクセスポイントとしての識別子が付与されている。通信装置５０，５１は、帰宅経路２０を含む所定範囲内に設置されている。通信装置５０は、交差点Ａの近くの住宅に設置されている。通信装置５１は、帰宅経路２０の近くに位置する店舗Ｃに設置されている。
【００７９】
通信装置５０，５１は、帰宅経路２０を含む所定範囲に設置されたアクセスポイントの中から、事前に、保護者によって選択された所定のアクセスポイントである。保護者は、例えば、電子機器に地図を表示するアプリケーションを利用して、交差点Ａ等の特徴がある場所の近くに設置されたアクセスポイントを選択する。さらに、保護者は、選択したアクセスポイント、及び、当該アクセスポイントが設置される場所の名称を、図２に示す入力部１０から入力する。
【００８０】
図７は、本開示の第２実施形態に係る帰宅経路に関する情報の一例を示す図である。第２実施形態に係る帰宅経路に関する情報は、特徴Ｃ１及び特徴Ｃ２を含む。
【００８１】
特徴Ｃ１は、図６に示す通信装置５０の識別子ＩＤ０を含む。制御部１４は、交差点Ａを、位置に関する情報として、特徴Ｃ１に対応付けて追加する。
【００８２】
特徴Ｃ２は、図６に示す通信装置５１の識別子ＩＤ１を含む。制御部１４は、店舗Ｃを、位置に関する情報として、特徴Ｃ２に対応付けて追加する。
【００８３】
第２実施形態に係る制御部１４は、帰宅経路２０を含む所定範囲内に設置された通信装置５０，５１の何れかの識別子を、通信部１２によって取得すると、ユーザが帰宅中であると特定する。第２実施形態でも第１実施形態と同様に、制御部１４は、ユーザが帰宅中であると特定すると、通信部１２によって所定の電子機器に、帰宅中である旨を通知してもよい。
【００８４】
第２実施形態に係る制御部１４は、取得した識別子に基づいて、ユーザの位置に関する情報を決定してもよい。制御部１４は、決定した位置に関する情報を、通信部１２によって所定の電子機器に通知してもよい。例えば、制御部１４が図６に示す識別子ＩＤ０を取得したとする。この場合、制御部１４は、交差点Ａを位置に関する情報として決定する。さらに、制御部１４は、交差点Ａを、位置に関する情報として、所定の電子機器に通知する。
【００８５】
図８は、本開示の第２実施形態に係る電子機器１の動作の一例を示すフローチャートである。制御部１４は、電子機器１が図７に示す学校３０に存在するとき、学校３０に設置された通信装置３１の識別子を取得し得る。この後、制御部１４は、通信装置３１の識別子を取得しなくなると、処理を開始する。制御部１４は、自宅４０に設置された通信装置４１の識別子を取得すると、処理を終了する。
【００８６】
制御部１４は、通信部１２によって通信装置の識別子を取得したか否か判定する（ステップＳ２０）。制御部１４は、通信装置の識別子を取得したと判定したとき（ステップＳ２０：Ｙｅｓ）、ステップＳ２１の処理に進む。一方、制御部１４は、通信装置の識別子を取得しないと判定したとき（ステップＳ２０：Ｎｏ）、再びステップＳ２０の処理を行う。
【００８７】
ステップＳ２１の処理では、制御部１４は、取得した識別子が、図７に示す通信装置５０，５１の識別子の何れかと一致するか否か判定する。制御部１４は、取得した識別子が通信装置５０，５１の識別子の何れかと一致すると判定したとき（ステップＳ２１：Ｙｅｓ）、ステップＳ２２の処理に進む。一方、制御部１４は、取得した識別子が通信装置５０，５１の識別子の何れとも一致しないと判定したとき（ステップＳ２１：Ｎｏ）、ステップＳ２０の処理に戻る。
【００８８】
ステップＳ２２の処理では、制御部１４は、ユーザが帰宅中であると特定する。ステップＳ２３の処理では、制御部１４は、ステップＳ２０の処理で取得した識別子に基づいて、位置に関する情報を決定する。ステップＳ２４の処理では、制御部１４は、ユーザが帰宅中である旨とともに位置に関する情報を、通信部１２によって所定の電子機器に通知する。
【００８９】
制御部１４は、図８に示す処理を開始するためのユーザ操作入力を入力部１０から取得したときに、図８に示す処理を開始してもよい。制御部１４は、図８に示す処理を終了するためのユーザ操作入力を入力部１０から取得したときに、図８に示す処理を終了してもよい。
【００９０】
以上のように、第２実施形態に係る電子機器１では、制御部１４は、帰宅経路２０を含む所定範囲内に設置された通信装置５０，５１の識別子の何れかを取得すると、ユーザが帰宅中であると特定する。つまり、第１実施形態に係る電子機器１は、消費電力が比較的大きくなるＧＰＳのような技術を使用するのではなく、消費電力が比較的小さくなるＷｉＦｉに関する技術を使用して、ユーザが帰宅中であると特定する。このような制御によって、本実施形態に係る電子機器１は、ＧＰＳのような技術を使用する場合よりも、小さい消費電力で、ユーザが帰宅中であると特定することができる。さらに、例えば電子機器１が子供向けの携帯電話機であり、電子機器１に搭載されるバッテリの容量が小さい場合であっても、ユーザが帰宅中であると特定することができる。従って、本実施形態は、改善された、電子機器１を提供することができる。
【００９１】
第２実施形態に係る電子機器１において、その他の効果及び構成は、第１実施形態に係る電子機器１と同様である。
【００９２】
本開示の一実施形態を諸図面及び実施例に基づき説明してきたが、当業者であれば本開示に基づき種々の変形及び修正を行うことが容易であることに注意されたい。従って、これらの変形及び修正は本開示の範囲に含まれることに留意されたい。各構成部、各ステップ等に含まれる機能等は論理的に矛盾しないように再配置可能であり、複数の構成部及びステップ等を１つに組み合わせたり、或いは分割したりすることが可能である。本開示の一実施形態について装置を中心に説明してきた。しかしながら、本開示内容は、装置が備えるプロセッサにより実行される方法、プログラム、又はプログラムを記録した記憶媒体としても実現し得るものである。従って、これらも、本開示の範囲にはこれらも包含されるものと理解されたい。
【００９３】
例えば、上記実施形態に係る電子機器１は、図１に示すものに限定されず、例えば、図９に示すようなものであってもよい。図９に示す電子機器１Ａには、ストラップ３Ｄが取り付けられている。例えば、ユーザは、不審者に遭遇したとき、ストラップ３Ｄを引っ張る。電子機器１Ａは、ストラップ３Ｄが所定値以上の力で引っ張られたことを検出すると、ブザー音を出力する。
【００９４】
例えば、上記実施形態では、ユーザは、子供であるものとして説明した。しかしながら、ユーザは子供に限定されない。ユーザは、あらゆる年齢層の人間であってよく、例えば、高齢者であってもよい。ユーザが高齢者である場合、図３及び図６に示す学校３０は、病院又はケアハウス等であってよい。この場合、通信装置３１は、当該病院又はケアハウス等内に設置されたアクセスポイントであってもよいし、当該病院又はケアハウス等の近辺に設置されるアクセスポイントであってよい。
【００９５】
例えば、第１実施形態では、帰宅経路に関する情報を、図４に示すようなリストとして説明したが、第１実施形態に係る帰宅経路に関する情報は、リストに限定されない。例えば、第１実施形態に係る帰宅経路に関する情報は、二次元の地図データであってもよい。この場合、制御部１４は、移動経路に関する情報を、二次元の地図データとして決定する。さらに、制御部１４は、二次元の地図データの帰宅経路に関する情報の少なくとも一部と、二次元の地図データの移動経路に関する情報とが類似すると判定すると、ユーザが帰宅中であると特定する。
【００９６】
例えば、制御部１４は、第１実施形態に係る帰宅経路に関する情報と、第２実施形態に係る帰宅経路に関する情報とを組み合わせてもよい。この場合、帰宅経路に関する情報は、図１０に示すようなものであってもよい。図１０に示す帰宅経路に関する情報は、図４に示す帰宅経路に関する情報と、図７に示す帰宅経路に関する情報とを組み合わせたものである。例えば、特徴Ａ２＋特徴Ｃ１は、南方向から東方向への移動方向の転換、徒歩との移動手段、ＩＤ０１との識別子、及び、交差点Ａとの位置に関する情報を含む。また、制御部１４は、第１実施形態に係る帰宅経路に関する情報の少なくとも一部と、センサ部１１の検出結果に基づく移動経路に関する情報とが略一致した際に取得した識別子を有するアクセスポイントを、上記の所定のアクセスポイント（通信装置５０又は５１）としてもよい。当該アクセスポイントは、帰宅経路２０を含む所定範囲に設置されたアクセスポイントに含まれる。
【符号の説明】
【００９７】
１，１Ａ  電子機器
２  ディスプレイ
２Ａ  表示パネル
２Ｂ  タッチセンサ
３Ａ，３Ｂ，３Ｃ  操作キー
３Ｄ  ストラップ
１０  入力部
１１  センサ部
１２  通信部
１３  記憶部
１４  制御部
２０  帰宅経路
２１，２３，２６  道路
２２，２４  角
２５  階段
３０  学校
３１  通信装置
４０  自宅
４１  通信装置
５０，５１  通信装置
【図１】
2018201172.tif 000003
【図２】
2018201172.tif 000004
【図３】
2018201172.tif 000005
【図４】
2018201172.tif 000006
【図５】
2018201172.tif 000007
【図６】
2018201172.tif 000008
【図７】
2018201172.tif 000009
【図８】
2018201172.tif 000010
【図９】
2018201172.tif 000011
【図１０】
2018201172.tif 000012
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
センサ部と、制御部とを備える電子機器であって、
前記センサ部は、ユーザによって所持される前記電子機器の状態を検出し、
前記制御部は、所定期間内の前記センサ部の検出結果に基づいて、所定条件が満たされると判定すると、前記ユーザが帰宅中であると特定し、
前記制御部は、
前記ユーザが過去に所定の帰宅経路を利用して帰宅した際の前記センサ部の検出結果に基づいて、前記帰宅経路に関する情報を決定し、
前記所定期間内の前記センサ部の検出結果に基づいて、前記ユーザの移動経路に関する情報を決定し、
前記所定条件は、前記帰宅経路に関する情報の少なくとも一部と前記移動経路に関する情報とが略一致するとの条件である、電子機器。
【請求項２】
請求項１に記載の電子機器であって、
無線通信する通信部をさらに備え、
前記制御部は、
前記センサ部の検出結果に基づいて、前記ユーザの移動手段を特定し、
前記通信部によって所定の電子機器に、前記移動手段を通知する、電子機器。
【請求項３】
請求項１又は２に記載の電子機器であって、
無線通信する通信部をさらに備え、
前記制御部は、
前記所定期間内の前記センサ部の検出結果に基づいて、前記ユーザの位置に関する情報を決定し、
前記通信部によって所定の電子機器に、前記位置に関する情報を通知する、電子機器。
【請求項４】
請求項１から３の何れか一項に記載の電子機器であって、
無線通信する通信部をさらに備え、
前記制御部は、前記ユーザが帰宅中であると特定すると、前記通信部によって所定の電子機器に、前記ユーザが帰宅中である旨を通知する、電子機器。
【請求項５】
センサ部と、制御部とを備える電子機器の制御方法であって、
前記センサ部が、ユーザによって所持される前記電子機器の状態を検出するステップと、
前記制御部が、前記ユーザが過去に所定の帰宅経路を利用して帰宅した際の前記センサ部の検出結果に基づいて、前記帰宅経路に関する情報を決定するステップと、
前記制御部が、所定期間内の前記センサ部の検出結果に基づいて、前記ユーザの移動経路に関する情報を決定するステップと、
前記制御部が、前記帰宅経路に関する情報の少なくとも一部と前記移動経路に関する情報とが略一致するとの条件が満たされると判定すると、前記ユーザが帰宅中であると特定するステップと、を含む、電子機器の制御方法。
【手続補正２】
【補正対象書類名】明細書
【補正対象項目名】０００６
【補正方法】変更
【補正の内容】
【０００６】
本開示の一実施形態に係る電子機器は、センサ部と、制御部とを備える。前記センサ部は、ユーザによって所持される前記電子機器の状態を検出する。前記制御部は、所定期間内の前記センサ部の検出結果に基づいて、所定条件が満たされると判定すると、前記ユーザが帰宅中であると特定する。前記制御部は、前記ユーザが過去に所定の帰宅経路を利用して帰宅した際の前記センサ部の検出結果に基づいて、前記帰宅経路に関する情報を決定する。前記制御部は、前記所定期間内の前記センサ部の検出結果に基づいて、前記ユーザの移動経路に関する情報を決定する。前記所定条件は、前記帰宅経路に関する情報の少なくとも一部と前記移動経路に関する情報とが略一致するとの条件である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本開示の一実施形態に係る電子機器の制御方法は、センサ部と、制御部とを備える電子機器の制御方法である。前記電子機器の制御方法は、前記センサ部が、ユーザによって所持される前記電子機器の状態を検出するステップを含む。さらに、前記電子機器の制御方法は、前記制御部が、前記ユーザが過去に所定の帰宅経路を利用して帰宅した際の前記センサ部の検出結果に基づいて、前記帰宅経路に関する情報を決定するステップを含む。さらに、前記電子機器の制御方法は、前記制御部が、所定期間内の前記センサ部の検出結果に基づいて、前記ユーザの移動経路に関する情報を決定するステップを含む。さらに、前記電子機器の制御方法は、前記制御部が、前記帰宅経路に関する情報の少なくとも一部と前記移動経路に関する情報とが略一致するとの条件が満たされると判定すると、前記ユーザが帰宅中であると特定するステップを含む。
【手続補正５】
【補正対象書類名】明細書
【補正対象項目名】０００９
【補正方法】削除
【補正の内容】